(57)【特許請求の範囲】
【請求項１】
傾斜方向の異なる隣接した複数の屋根面に跨って配置されるとともに、前記複数の屋根面の交差角度に対応した角度をなす複数の受光面を一体に備え、
前記受光面は、一対設けられて、それぞれ直角三角形状、四角形状、または１つの直角を有する台形状に形成されており、各々の一辺部分が中枠を介して互いに接続され、前記一対の受光面のなす角度は、一対の屋根面が形成する凸状の交差角度に対応して設定されていることを特徴とする太陽電池パネル。
【請求項２】
傾斜方向の異なる隣接した複数の屋根面に跨って配置されるとともに、前記複数の屋根面の交差角度に対応した角度をなす複数の受光面を一体に備え、
前記受光面は、一対設けられて、それぞれ直角三角形状、四角形状、または１つの直角を有する台形状に形成されており、各々の一辺部分が中枠を介して互いに接続され、前記一対の受光面のなす角度は、一対の屋根面が形成する凹状の交差角度に対応して設定されていることを特徴とする太陽電池パネル。
【請求項３】
請求項１または請求項２に記載の太陽電池パネルにおいて、
前記受光面を形成するパネル体と、当該パネル体を囲むフレームとを備え、このフレームの一辺を形成する枠材によって前記中枠が構成されていることを特徴とする太陽電池パネル。
【請求項４】
請求項１から請求項３のいずれかに記載の太陽電池パネルにおいて、
前記一対の受光面のなす角度が前記中枠に沿った軸回りに調節可能に設けられていることを特徴とする太陽電池パネル。
【発明の詳細な説明】
【技術分野】
【０００１】
本発明は、太陽電池パネルに係り、詳しくは、傾斜方向の異なる隣接した複数の屋根面に跨って配置される太陽電池パネルに関する。
【背景技術】
【０００２】
従来より、建物の屋根面に縦横に配列された屋根葺材である複数の太陽電池パネルで、太陽光を電力に変換する太陽電池付屋根を形成することが知られている。太陽電池パネルは、正方形や長方形の四角形状に形成されたものが一般的であり、屋根面の傾斜方向に沿って、屋根面に取り付けられたレール状の支持部材に固定されている（特許文献１等参照）。太陽電池付屋根の形式としては、太陽電池パネルが通常四角形状であることから、屋根面の傾斜方向に沿って太陽電池パネルを配列しやすい切妻式の屋根が一般的である。
【０００３】
一方、太陽電池付屋根の形式として、寄棟式の屋根とする場合がある。このような場合、四角形状の太陽電池パネルを屋根面に配列すると、屋根面の角部（特に下り棟付近）等に大きな余白部分が生じてしまう。そこで、屋根の下り棟に沿った斜辺を有する三角形状や台形状に形成された太陽電池パネルを、下り棟に沿って屋根面に複数配列し、残り部分に四角形状の太陽電池パネルを縦横に複数配列することが考えられる。これにより、寄棟式屋根の屋根面に、たとえば、三角形状および四角形状の太陽電池パネル、あるいは台形状および四角形状の太陽電池パネルを隙間なく配列することができる。
【先行技術文献】
【特許文献】
【０００４】
【特許文献１】特開平９−３２２０６号公報
【発明の概要】
【発明が解決しようとする課題】
【０００５】
ところで、より大きな電力を確保するために、屋根面にできるだけ隙間なく太陽電池パネルを配列することが考えられる。具体的には、上述したような三角形状または台形状の太陽電池パネルを、下り棟を挟んで両側の屋根面（下り棟を形成する一対の屋根面）にそれぞれ配列することが考えられる。
しかし、このように三角形状または台形状太陽電池パネルを配列すると、下り棟の部分には、太陽電池パネルの斜辺同士の連結部が生じるから、この部分での防水性能が十分に確保されないという心配がある。
【０００６】
本発明の目的は、傾斜方向の異なる隣接した屋根面に配置して発電量を大きくでき、かつ、各屋根面間の防水性能も確実に確保できる太陽電池パネルを提供することにある。
【課題を解決するための手段】
【０００７】
本発明の太陽電池パネルは、後述する実施形態での符号を用いて説明すれば、傾斜方向の異なる隣接した複数の屋根面１４〜１７に跨って配置されるとともに、前記複数の屋根面の交差角度に対応した角度をなす複数の受光面２１Ａを一体に備え、前記受光面は、一対設けられて、それぞれ直角三角形状、四角形状、または１つの直角を有する台形状に形成されており、各々の一辺部分が中枠２５を介して互いに接続され、前記一対の受光面のなす角度は、一対の屋根面が形成する凸状の交差角度に対応して設定されているていることを特徴とするものである。
また、本発明の太陽電池パネルは、傾斜方向の異なる隣接した複数の屋根面１４〜１７に跨って配置されるとともに、前記複数の屋根面の交差角度に対応した角度をなす複数の受光面２１Ａを一体に備え、前記受光面は、一対設けられて、それぞれ直角三角形状、四角形状、または１つの直角を有する台形状に形成されており、各々の一辺部分が中枠２５を介して互いに接続され、前記一対の受光面のなす角度は、一対の屋根面が形成する凹状の交差角度に対応して設定されるものであってもよい。
【０００８】
この発明によれば、屋根面に対応した複数の受光面を一体に備えた太陽電池パネルを、複数の屋根面に跨って配置するため、たとえば、下り棟を形成する一対の屋根面に跨って太陽電池パネルを配置する場合でいえば、下り棟には、従来のような太陽電池パネル同士の連結部が生じないから、笠木等を設けなくとも屋根の防水性能が十分に確保される。また、本発明の太陽電池パネルが屋根の下り棟等に配列されることで、屋根に隙間なく太陽電池パネルが配列されるから、大きな発電力が得られる。
また、一対の屋根面が形成する凸状の交差角度に対応して一対の受光面のなす角度を設定すれば、例えば、屋根の大棟や下り棟等に沿って太陽電池パネルが配置可能となる。
一方、一対の屋根面が形成する凹状の交差角度に対応して一対の受光面のなす角度を設定すれば、例えば、一対の屋根面が形成する谷等に沿って太陽電池パネルが配置可能となる。
【０００９】
この際、本発明の太陽電池パネルでは、前記受光面を形成するパネル体と、当該パネル体を囲むフレームとを備え、このフレームの一辺を形成する枠材によって前記中枠が構成されていることが好ましい。
このような構成によれば、一対の受光面を構成するパネル体を各々囲むフレームの各一辺同士が中枠で連結されることとなるので、その上方に笠木等を設けなくとも雨の浸入が防止でき、屋根の防水性能が十分に確保される。
【００１０】
また、本発明の太陽電池パネルでは、前記一対の受光面のなす角度が前記中枠に沿った軸回りに調節可能に設けられていることが好ましい。
このような構成によれば、複数の受光面のなす角度を調節可能に設けたので、複数の屋根面の交差角度に応じて、複数の受光面のなす角度を調節することで、あらゆる屋根面の交差角度に対応できる。
【図面の簡単な説明】
【００１１】
【図１】本発明の第１実施形態に係る建物を示す全体斜視図である。
【図２】前記実施形態に係る太陽電池パネルを示す全体斜視図である。
【図３】前記実施形態に係る太陽電池パネルを示す平面図である。
【図４】図３のIV−IV線に沿った断面図である。
【図５】前記実施形態に係る太陽電池パネル同士の接続部分の断面図である。
【図６】本発明の第２実施形態に係る太陽電池パネルを示す全体斜視図である。
【図７】本発明の第３実施形態に係る太陽電池パネルの要部を示す断面図である。
【図８】本発明の第４実施形態に係る太陽電池パネルを示す断面図である。
【図９】本発明の第１変形例を示す模式図である。
【図１０】本発明の第２変形例を示す模式図である。
【図１１】本発明の第３変形例を示す模式図である。
【図１２】本発明の第４変形例を示す模式図である。
【図１３】本発明の第５変形例を示す模式図である。
【発明を実施するための形態】
【００１２】
以下、本発明の各実施形態を図面に基づいて説明する。
［第１実施形態］
図１には、本発明の第１実施形態に係る建物１が示されている。この建物１は、基礎２上に形成された建物本体３と、この建物本体３の上部に形成された屋根１０とを備えている。このうち、建物本体３は、平面略Ｌ字状に形成されている。この建物本体３に対応して、屋根１０は、寄棟式の屋根の組合せによって形成されている。具体的に、屋根１０は、直角をなす２方向へ延びた水平な大棟１１と、この大棟１１の端部から斜め下方に延びる下り棟１２，１２Ａと、大棟１１の角部から出隅側および入隅側へ斜め下方に延びる下り棟１２Ｂおよび谷１３とを有している。
ここで、下り棟１２は、一対の屋根面１４，１５（１６，１７）によって形成されている。下り棟１２Ａは、一対の屋根面１４，１０Ｄ（１７，１０Ｅ）によって、下り棟１２Ｂは、一対の屋根面１０Ｄ，１０Ｅによって形成されている。谷１３は、一対の屋根面１５，１６によって形成されている。
【００１３】
屋根面１４，１７には、下り棟１２Ａに沿って、全体略三角形状太陽電池パネル１８が複数配列されている。下り棟１２には、下り棟１２を形成する屋根面１４，１５（１６，１７）に跨って、本発明の太陽電池パネル２０が複数配列されている。また、谷１３には、谷１３を形成する屋根面１５，１６に跨って、本発明の後述する第２実施形態の太陽電池パネル３０が複数配列されている。さらに、屋根面１４〜１７の残りの部分には、従来の四角形状太陽電池パネル１９が複数配列されている。これら太陽電池パネル１８，１９，２０，３０は、屋根面１４〜１７の傾斜方向に沿って設置されたレール状の支持部材１０Ａを介して、屋根面１４〜１７に取り付けられている。
【００１４】
太陽電池パネル２０は、図２に示すように、太陽光を電力に変換する所定枚数のソーラーセルが収納されて受光面２１Ａを有する一対の平板部２１と、これらの平板部２１の周縁を保持するフレーム２２とを備えている。
各平板部２１は、それぞれ直角三角形状に形成されている。受光面２１の直角をなす二辺（斜辺以外の二辺）は、屋根１０の桁方向および傾斜方向に沿っている。これら二辺の長さ寸法は、四角形状太陽電池パネル１９の二辺（屋根１０の桁方向および傾斜方向に沿った二辺）の長さ寸法に揃えられている。
フレーム２２は、屋根面１４，１５（１６，１７）の傾斜方向に沿って延びる一対の縦枠２３と、屋根面１４，１５（１６，１７）の桁方向に沿って延びる一対の横枠２４と、平板部２１間に配置されかつ縦枠２３および横枠２４とを連結する中枠２５とを備えている。これらの縦枠２３、横枠２４および中枠２５により、太陽電池パネル２０全体の防水および補強がなされ、平板部２１内のソーラーセルが雨水による漏電や短絡等の事故および太陽電池パネル２０の表面に加わる加重等から保護されている。
【００１５】
図３および図４において、縦枠２３の上部側には、平板部２１の端縁（受光面２１Ａの傾斜方向に沿う辺を有する端縁）が嵌合保持される断面略コ字状の溝部２３Ｂが設けられている。また、横枠２４にも縦枠２３と同様な溝部（図示せず）が設けられ、この溝部に平板部２１の端縁（受光面２１Ａの桁方向に沿う辺を有する端縁）が嵌合保持されている。このうち、縦枠２３には、下方へ突出した略Ｌ字状の脚部２３Ａが形成されており、この脚部２３Ａは、支持部材１０Ａ介して、各屋根面１４〜１７に固定されている。
【００１６】
中枠２５には、図４に示すように、各受光面２１Ａ側に開口した一対の溝部２５Ａが形成されている。具体的に、中枠２５は、逆Ｖ字状の上面部２５１と、この上面部２５１から下方に突出した垂直部２５２と、この垂直部２５２の下端に位置する逆Ｖ字状の下面部２５３とを有している。
各溝部２５Ａには、各平板部２１の端縁（各受光面２１Ａの斜辺を有する端縁）がそれぞれ嵌合保持されており、各溝部２５Ａの開口方向によって各平板部２１（受光面２１Ａ）のなす角度が決定されている。そして、各溝部２５Ａの開口方向のなす角度は、屋根面１４，１５（１６，１７）の交差角度に対応しており、従って、各平板部２１のなす角度は、屋根１０の下り棟１２を形成する各屋根面１４，１５（１６，１７）の交差角度に対応することになる。また、中枠２５の下面部２５３には、下方へ突出した逆Ｙ字状の脚部２５Ｂが形成されている。この脚部２５Ｂの下面は、下り棟１２方向に沿って設置された木製のブロック材１０Ｂに釘等で固定されている。
【００１７】
図２，図３において、中枠２５の下端（屋根１０に配列した際に下方に位置する端部）には、隣接する他の太陽電池パネル２０の中枠２５の上端（屋根１０に配列した際に上方に位置する端部）を覆う突出部２５Ｃが形成されている。
突出部２５Ｃは、押出形材からなる中枠２５の上面部２５１だけを残して、垂直部２５２、下面部２５３および脚部２５Ｂを切り欠くことで形成されている。この突出部２５Ｃに覆われる他の中枠２５の上端は、下端とは逆に、中枠２５の下面部２５３および脚部２５Ｂだけを残して、上面部２５１および垂直部２５２が切り欠かれている。この他方の中枠２５の前記上端下面部２５３上には、図３，図５に示すように、箱状部材２６が取り付けられている。
【００１８】
この箱状部材２６は、中枠２５の下面部２５３上面に対応した形状とされて溶接等された底面部２６Ａと、この底面部２６Ａと直角をなしかつ中枠２５の溝部２５Ａから平板部２１側に若干突出した側面部２６Ｂとを有している。この側面部２６Ｂには、縦枠２３の開口部分が嵌合し、この縦枠２３が図３に示すブラケット２２Ａを介して接合されている。なお、横枠２４の一端は、中枠２５の端部（突出部２５Ｃ側）にブラケット２２Ｂで接合され、他端は、ブラケット２２Ｃを介して縦枠２３と接合されている（図３参照）。
【００１９】
図５において、箱状部材２６の内部には、弾性を有するシール材２６Ｃが配置されており、このシール材２６Ｃ上面には、太陽電池パネル２０の突出部２５Ｃが密着している。すなわち、シール材２６Ｃにより、箱状部材２６と、この箱状部材２６を覆う突出部２５Ｃとの間の隙間が埋められ、太陽電池パネル２０同士の連結部における水密性を高めることが可能となる。そして、突出部２５Ｃは、箱状部材２６の底面部２６Ｃを貫通するビス等で中枠２５の下面部２５３に固定され、突出部２５Ｃと各枠２３，２５の上面とが面一に形成されている。
【００２０】
本実施形態では、このような太陽電池パネル２０を、以下のようにして屋根１０に配列する。
まず、屋根面１４〜１７に、支持部材１０Ａおよびブロック材１０Ｂを配置する。次に、下り棟１２に沿って、太陽電池パネル２０を下方側から順に屋根面１４〜１７に配列していき、太陽電池パネル２０同士の端部の重なり部分をビス等で連結する。また、下り棟１２Ａ側には、三角形状太陽電池パネル１８を配列し、屋根面の残りの部分には、従来の四角形状太陽電池パネル１９を配列する。そして、屋根１０の大棟１１に沿って、笠木１０Ｃ等を設置する。この際、必要に応じて、下り棟１２，１２Ａ，１２Ｂおよび谷１３に笠木（図示せず）を設置してもよい。
【００２１】
上述のような本実施形態によれば、次のような効果がある。
（１）太陽電池パネル２０は、各屋根面１４，１５（１６，１７）に跨る一対の受光面２１Ａが一体に設けられているので、このような太陽電池パネル２０を、一対の屋根面１４，１５（１６，１７）に跨って配列すれば、各屋根面１４，１５（１６，１７）で形成される下り棟１２には、従来のような太陽電池パネル同士の連結部が生じないから、屋根１０の防水性能を十分に確保できる。また、太陽電池パネル２０を用いることで、下り棟１２部分の防水性能が向上するので、笠木等を省略でき、部品点数を減らして施工を簡略にできる。さらに、太陽電池パネル２０を用いることで、屋根１０の下り棟１２部分にも太陽電池パネルを配列できるから、従来よりも大きな発電力を得ることができる。
【００２２】
（２）各受光面２１Ａは、それぞれ直角三角形状に形成され、屋根面１４，１５（１６，１７）の桁方向および傾斜方向に沿った二辺の長さ寸法が、四角形状太陽電池パネル１９の桁方向および傾斜方向に沿った二辺の長さ寸法に揃っているため、屋根面１４，１５（１６，１７）の傾斜方向および桁方向に沿って四角形状太陽電池パネル１９を整列でき、各屋根面１４〜１７に隙間なく太陽電池パネル１９，２０を配列できる。また、太陽電池パネル１９，２０間の目地が、桁方向および傾斜方向に連続するので、屋根１０の外観を良好にでき、意匠性を向上させることができる。
【００２３】
（３）下り棟１２を形成する各屋根面１４，１５（１６，１７）の交差角度に対応して、中枠２５の各溝部２５Ａの開口方向が決められ、一対の受光面２１Ａのなす角度が設定されているから、屋根１０の、特に下り棟１２に沿って太陽電池パネル２０を確実かつ容易に配列できる。
【００２４】
（４）中枠２５の下端には、下流側に配置された太陽電池パネル２０の中枠２５上端を覆う突出部２５Ｃが形成されているため、太陽電池パネル２０間の連結部分に落ちた雨水等はそのまま中枠２５の表面を流れ落ちるようになる。従って、中枠２５の上部に笠木等を後付けしなくとも、隣り合う太陽電池パネル２０間（上流および下流間）での防水性能を向上させることができる。また、太陽電池パネル２０の端部同士を重ねて配列することで、太陽電池パネル２０の配列作業とともに、屋根１０の防水性能を容易に確保できる。
【００２５】
（５）太陽電池パネル２０間の重なり部分には、箱状部材２６が設けられ、この箱状部材２６は、突出部２５Ｃと密着するシール材２６Ｃを有しているから、太陽電池パネル２０間の水密性を良好にできる。
【００２６】
（６）太陽電池パネル２０は、縦枠２３および中枠２５の脚部２３Ａ，２５Ｂが支持部材１０Ａおよびブロック材１０Ｂに固定されて、屋根１０に取り付けられているから、屋根１０に太陽電池パネル２０全体を安定した状態で固定できる。
【００２７】
［第２実施形態］
図６には、本実施形態の太陽電池パネル３０が示されている。ここにおいて、本実施形態と前述の第１実施形態とは、中枠２５の各溝部の開口方向のなす角度が異なるのみで、その他の構成は同一であるから、同一符号を付してそれらの説明は省略する。
図６において、中枠２５の各溝部（図示せず）の開口方向のなす角度は、屋根面１５，１６の交差角度に対応している（図１参照）。従って、各平板部２１のなす角度は、屋根１０の谷１３を形成する各屋根面１５，１６の交差角度に対応することになる。
【００２８】
上述のような本実施形態によれば、太陽電池パネル３０は、一対屋根面に跨る一対の受光面２１Ａが一体に設けられているので、従来のような太陽電池パネル同士の連結部が生じず、屋根の防水性能を十分に確保できる。また、太陽電池パネル３０を用いることで、谷１３部分の防水性能が向上するので、笠木等を省略でき、部品点数を減らして施工を簡略にできる。さらに、太陽電池パネル３０を用いることで、屋根１０の谷１３部分にも太陽電池パネルを配列できるから、従来よりも大きな発電力を得ることができ、前述の第１実施形態の効果（１）と同様な効果を得ることができる。また、他の同様な構成により、前述の第１実施形態の効果（２），（４）〜（６）と同様な効果を得ることができる。
さらに、これらの効果（１），（２），（４）〜（６）に加えて、次のような効果がある。
（７）谷１３を形成する各屋根面１５，１６の交差角度に対応して、中枠２５の各溝部の開口方向が決められ、各受光面２１Ａのなす角度が設定されているから、各屋根面１５，１６が形成する谷１３に沿って太陽電池パネル３０を確実かつ容易に配列できる。
【００２９】
［第３実施形態］
図７には、本実施形態の太陽電池パネル５０の要部が示されている。ここにおいて、本実施形態と前述の第１実施形態とは、太陽電池パネルのフレームと中枠との接合構造が異なるのみで、その他の構成は同一であるから、同一符号を付してそれらの説明は省略する。
【００３０】
太陽電池パネル５０は、一対の直角三角形状のパネル体５１と、これらパネル体５１の斜辺同士を接続する枠材としての中枠５５とを備えている。
パネル体５１は、第１実施形態で説明した平板部２１と、縦枠２３および横枠と、縦枠２３および横枠を連結する断面略コ字状の斜辺枠５２とを有している。つまり、平板部２１の周縁は、縦枠２３、横枠および斜辺枠５２により保持されている。
【００３１】
パネル体５１は、中枠５５の各溝部２５Ａに、その斜辺枠５２側が挿入されて接続されている。ここで、パネル体５１は、図中に矢印で示すように、中枠５５に対して挿入方向の位置が調節可能に設けられている。つまり、各パネル体５１の位置をずらすことで、太陽電池パネル５０の桁方向および傾斜方向の辺の長さ寸法が調節可能となっている。
【００３２】
中枠５５は、前述した上面部２５１（図４）および下面部２５３と、これら上面部２５１および下面部２５３間に配置された二重壁を有する垂直部５５２とを備えており、各受光面２１Ａ側に開口した一対の溝部２５Ａが形成されている。中枠５５の下端（配列した際に下方に位置する端部）には、第１実施形態の中枠２５と同様な突出部２５Ｃが形成されている。この突出部２５Ｃに覆われる下流側の他の太陽電池パネル５０の中枠５５の上端（配列した際に上方に位置する端部）は、中枠５５の上面部２５１が切り欠かれ、垂直部５５２の二重壁の隙間の上方が露出した状態になっている。
【００３３】
このような太陽電池パネル５０を下り棟に配列する際には、下流側の他の太陽電池パネル５０の中枠５５の上端に、太陽電池パネル５０の突出部２５Ｃがゴムシート５５Ｄを介してボルト等で固定される。なお、中枠５５の垂直部５５２の二重壁の間隔はボルトの径よりも小さく形成されており、この二重壁間にボルトが螺入されることで、太陽電池パネル５０同士が確実に固定される。
【００３４】
上述のような本実施形態によれば、第１実施形態の効果（１）〜（４），（６）に加えて、次のような効果がある。
（８）パネル体５１は、中枠５５に対して挿入方向の位置が調節可能に設けられているから、各パネル体５１の位置をずらすことで、太陽電池パネル５０の桁方向および傾斜方向の辺の長さ寸法を調節できる。このような調節を行った後に、太陽電池パネル５０に合わせて、既存の四角形状太陽電池パネルを配列すれば、四角形状太陽電池パネルの配列位置を桁方向および傾斜方向にずらすことができる。従って、大きさの異なる屋根面に一定寸法の四角形状太陽電池パネルを配列した場合でも、屋根面の軒側や桁側の辺縁付近に余白部分が生じるのを防止でき、屋根面の大きさに合わせて、各太陽電池パネルを隙間なく配列できるようになる。
【００３５】
［第４実施形態］
図８には、本実施形態の太陽電池パネル４０が示されている。ここにおいて、本実施形態と前述の第１実施形態とは、フレームの構成が異なるのみで、その他の構成は同一であるから、同一符号を付してそれらの説明は省略する。
【００３６】
フレーム４２は、一対の縦枠２３および横枠と、これら縦枠２３および横枠を連結する一対の斜辺枠４５とを備えている。各斜辺枠４５は、各受光面２１Ａ側に開口して各平板部２１が嵌合保持される断面略コ字状の溝部４５１と、下方に突出した略Ｌ字状の脚部４５２とを有している。この脚部４５２は、第１実施形態の中枠２５の脚部２５Ｂと同様に、ブロック材を介して、屋根面に固定される。各斜辺枠４５は、ウェブ４５３同士が回動可能にそれぞれ接続され、全体でヒンジ構造をなしている。従って、このような斜辺枠４５に取り付けられた各平板部２１は、互いに回動可能であり、各受光面２１Ａのなす角度が調節可能に設けられている。各受光面２１Ａのなす角度を調節することで、太陽電池パネル４０は、角度の異なる下り棟や、角度の異なる谷、あるいは角度を大きく変えることで屋根の下り棟および谷に配列可能とされている。なお、本実施形態の太陽電池パネル４０を屋根に配列するにあたっては、太陽電池パネル４０自身でも十分な防水性能を得られるが、必要に応じて、中枠４５の上部に笠木等（図示せず）を配置することで、屋根１０の防水性能をより向上させてもよい。
【００３７】
上述のような本実施形態によれば、前記各実施形態の効果（１）,（２），（６）に加えて、次のような効果がある。
（９）各受光面２１Ａのなす角度を調節可能に設けたので、各屋根面の交差角度に応じて、各受光面２１Ａのなす角度を調節でき、あらゆる屋根面の交差角度に対応できる。
【００３８】
なお、本発明は前記実施形態に限定されるものではなく、本発明の目的を達成できる範囲での変形、改良は、本発明に含まれるものである。
たとえば、第１，第２および第３実施形態では、中枠に突出部が形成されているが、たとえば、突出部を設けずに、太陽電池パネルの中枠の下端を、下流側の他の太陽電池パネルの上端に重ねるだけでもよい。また、このような重なり部分をも設けない場合も本発明に含まれるが、重なり部分を設けた方が、屋根の防水性能をより十分に確保できるから、重なり部分を設けた方が望ましい。
【００３９】
前記各実施形態では、受光面２１Ａ（平板部２１）は、直角三角形状に形成されているが、本発明に係る受光面はこれに限定されるものではなく、たとえば、四角形状、台形状等であってもよい。特に、台形状に形成する場合には、１つの直角を有する台形状に形成することで、直角三角形状に形成した場合と同様な効果（２）を得ることができる。具体的には、本発明の変形例として図９に示すように、前記台形状の各受光面を有する太陽電池パネル６０を従来の長方形状太陽電池パネル６１とともに配列することで、屋根６２の谷部分に隙間なく太陽電池パネル６０，６１を配列できる。そして、このような太陽電池パネル６０の受光面の角度を変えることで、図中二点鎖線で示すように、屋根６２の下り棟等に配置してもよい。
【００４０】
前記各実施形態では、各太陽電池パネル２０，３０，４０，５０を、寄棟式の屋根の組合せによって形成された屋根１０の下り棟１２または谷１３に沿って配列しているが、たとえば、図１０ないし図１３のいずれかに示すような屋根の形態または部分であってもよい。
本発明の第２変形例として図１０に示すように、本発明の太陽電池パネルをいわゆる切妻式の屋根６３の棟６４に沿って配列させてもよい。このような場合、一対の受光面（平板部）を四角形状とする太陽電池パネル６５を用いることで、屋根面の残りの余白部分に、既存の四角形状太陽電池パネルを隙間なく配列できる。また、このような太陽電池パネル６５は、本発明の第３変形例として図１１に示すようないわゆる腰折れ式の屋根６６や、本発明の第４変形例として図１２に示すような形式の屋根６７にも利用できる。さらに、本発明の第５変形例として図１３に示すような、いわゆる方形式の屋根６８の下り棟６９に沿って、一対の受光面を三角形状とする太陽電池パネル７０配列させてもよい。
【００４１】
前記各実施形態において、各太陽電池パネル２０，３０，４０，５０は、各屋根面１４〜１７に対応した各受光面２１Ａを有しているが、たとえば、大棟および２つの下り棟を形成する３つの屋根面に対応して、３つの受光面を一体に有したものであってもよい。要するに、傾斜方向の異なる隣接した複数の屋根面に跨って配置されるとともに、複数の屋根面の交差角度に対応した角度をなす複数の受光面を一体に備えていればよい。
【符号の説明】
【００４２】
１４〜１７  屋根面
２０，３０，４０，５０，６０，６５，７０  太陽電池パネル
２１Ａ  受光面
２２  フレーム
２５Ａ  溝部
２５Ｃ  突出部
５１  パネル体
５５  枠材である中枠
【図１】
0004724235.tif 000002
【図２】
0004724235.tif 000003
【図３】
0004724235.tif 000004
【図４】
0004724235.tif 000005
【図５】
0004724235.tif 000006
【図６】
0004724235.tif 000007
【図７】
0004724235.tif 000008
【図８】
0004724235.tif 000009
【図９】
0004724235.tif 000010
【図１０】
0004724235.tif 000011
【図１１】
0004724235.tif 000012
【図１２】
0004724235.tif 000013
【図１３】
0004724235.tif 000014